(57)【要約】  【課題】  塗料粒子の飛散を遮蔽することにより、塗料を効果的に利用し、無為な消費を少なくすることができると同時に、塗料粒子の飛散による大気汚染を低減することができるスプレーガンを提供する。  【解決手段】  前方へ向けてガン頭４に設けた塗料送出口 411の近傍に複数の駆動空気送出口 412,431を備え、これらの駆動空気送出口 412,431から圧縮空気を噴出して塗料送出口 411より塗料を吸い出しつつ霧状に飛散させ、吹付け塗りをするスプレーガンにおいて、ガン頭４に夫々が前方へ向かって設けられ、塗料送出口 411の指向方向の周りに空気膜を形成するための複数の噴気口 413,432を備える構成とする。【選択図】        図４
0003106158.tif 000002
【実用新案登録請求の範囲】
【請求項１】
前方へ向けてガン頭に設けた塗料送出口の近傍に複数の駆動空気送出口を備え、該駆動空気送出口から圧縮空気を噴出し、前記塗料送出口より塗料を吸い出しつつ霧状に飛散させて吹付け塗りをするスプレーガンにおいて、
前記ガン頭に夫々が前方へ向かって設けられ、前記塗料送出口の指向方向の周りに空気膜を形成するための複数の噴気口を備えることを特徴とするスプレーガン。
【請求項２】
上下に延設されたグリップ、該グリップの上端近傍から前方へ延設された主体部、及び該主体部の前端に取付けられて更に前方へ延びるノズルを有しており、前記ノズルに、該ノズルの前端に開口する塗料通路、及び該塗料通路の近傍に夫々が開口する複数の第１の空気通路が設けられ、前記主体部に、内部において前記塗料通路と連通し、外部へ開口する塗料輸送通路が設けられ、また前記主体部の内部から前記グリップの内部までに、前記主体部内において前記第１の空気通路と連通し、前記グリップにおいて外部に開口して、外部からの圧縮空気を受け入れる第２の空気通路が設けられているピストル状をなすガン本体と、
前記ガン本体に取付けられており、塗料の流量を調整する塗料調整手段、前記ノズルへの圧縮空気の供給を制御する空気開放弁、及び前記空気開放弁の開閉を操作するトリガーを有する操作ユニットと、
前記ノズル全体を外側から覆うカバー状をなし、前方へ向かうと共に前記塗料通路の開口と連通された塗料送出口と、該塗料送出口の近傍に位置し、前記複数の第１の空気通路の開口と連通され、圧縮空気を噴出して前記塗料送出口より塗料を吸い出しつつ霧状に飛散させるための複数の駆動空気送出口とが設けられたガン頭と
を備えるスプレーガンにおいて、
前記ガン頭に夫々が前方へ向かって設けられ、前記塗料送出口の指向方向の周りに空気膜を形成するための複数の噴気口を備えることを特徴とするスプレーガン。
【請求項３】
前記ガン頭は、前方へ向かう円形面を備え、該円形面上には、中心の両側に略対称をなして突台が、また略中心に前記塗料送出口が夫々設けてあり、
前記複数の駆動空気送出口は、一部が、前記円形面上の前記両突台を結ぶ線上に前記塗料供出口の両側に分散して配置され、また他の一部が、前記両突台の互いに対面している側面上に配置されており、
前記複数の噴気口は、一部が、前記円形面上の前記両突台を結ぶ線と略垂直をなすと共に前記中心を通る線上に前記塗料送出口の両側に分散して配置され、また他の一部が、前記両突台の前正面に配置されている
ことを特徴とする請求項１又は請求項２に記載のスプレーガン。
【請求項４】
前記塗料送出口の両側に分散して配置された前記噴気口のうち、前記中心から遠い側にある一対の噴気口は、夫々からの噴気が前方へ向かって互いに遠ざかるように構成され．他の噴気口の全ては、夫々の噴気が、前記塗料送出口の指向方向と略平行をなして前方に向かうように構成されていることを特徴とする請求項３に記載のスプレーガン。
【請求項５】
前記ガン頭は、前記円形面から延設され、前記ガン本体と連結固定するための止め環を備えることを特徴とする請求項３又は請求項４に記載のスプレーガン。
【考案の詳細な説明】
【技術分野】
【０００１】
本考案は、スプレーガンに関し、特に、ガン頭に前方へ向けて設けられた塗料送出口の近傍にある複数の駆動空気送出口から圧縮空気を噴出し、前記塗料送出口より塗料を吸出しながら霧状に飛散させ、吹付け塗りをするスプレーガンに関する。
【背景技術】
【０００２】
スプレーガンは、簡単に言えば、図１に例示するように、ガン頭１に前方へ向けて開口する塗料送出口12と複数の駆動空気送出口13とを備え、これら複数の駆動空気送出口13から圧縮空気を噴出して前記塗料送出口12より塗料を吸い出しながら霧状に飛散させ、吹付け塗りをするものである（例えば、特許文献１参照）。
【０００３】
より詳しく説明すると、前記ガン頭１は、図２に示すように、前方へ向かう円形面10を有しており、この円形面10には、中心に開口する前記塗料送出口12の両側に略対称をなして突台11，11が夫々設けてある。前記複数の駆動空気送出口13は、一部（図においては４つ）が、前記両突台11，11を結ぶ線ｒ上に、前記塗料送出口12の両側に分散して配置されており、また他の一部（図においては２つ）が、前記両突台11，11の互いに対面している側面の先端寄りに、相対的に徐々に離反するように形成された両斜面に配置されている。このような配置によって、両側の駆動空気送出口13，13から噴出する圧縮空気の気流は互いに交錯して激突し、塗料送出口12から吸い出される塗料を細かな粒子に打ち散らし、霧状に飛散させることができる。
【特許文献１】特開平７−２１３９６０号公報
【考案の開示】
【考案が解決しようとする課題】
【０００４】
しかしながら、前記圧縮空気によって飛散すれる塗料粒子は、高速で射出されるので、目的物に衝突して跳ね返り、完全に付着できないことがある。従って、このようなスプレーガンによるスプレーは、図３に示すように、目的物に当たり、十分に付着して有効吹付け領域Ａとなるのは一部の塗料粒子だけであり、他の塗料粒子は付着不十分となり、無効吹付け領域Ｂを生じさせ、また大気に飛散したりする。このような場合、塗料が浪費されるという問題だけでなく、大気に飛散する塗料粒子が周辺を汚染し、人体に吸入された場合、健康上及び安全性上の危害をもたらす虞れさえある。
【０００５】
本考案は上記の事情に鑑みてなされたものであり、塗料粒子の飛散を遮蔽することにより、塗料を効果的に利用し、無為な消費を少なくすることができると同時に、塗料粒子の飛散による大気汚染を低減することができるスプレーガンを提供することを目的とする。
【課題を解決するための手段】
【０００６】
前記目的を達成するために、本考案は、前方へ向けてガン頭に設けた塗料送出口の近傍に複数の駆動空気送出口を備え、該駆動空気送出口から圧縮空気を噴出し、前記塗料送出口より塗料を吸い出しつつ霧状に飛散させて吹付け塗りをするスプレーガンにおいて、
前記ガン頭に夫々が前方へ向かって設けられ、前記塗料送出口の指向方向の周りに空気膜を形成するための複数の噴気口を備えることを特徴とするスプレーガンを提供する。
【考案の効果】
【０００７】
本考案に係るスプレーガンは、夫々が前方へ向かっており塗料送出口の指向方向の周りに空気膜を形成するための複数の噴気口を備えているから、前記塗料送出口から吸い出されて前記指向方向に飛散する霧状の塗料の周りに空気膜が形成され、この空気膜が塗料の飛散範囲を制限する作用をなし、外へ飛散しようとする塗料粒子が有効吹付け領域に戻されて、無効吹付け領域になる部分及び大気中への飛散分が減少し、吹付け塗りの効率を向上させることができる上、飛散する塗料粒子による大気汚染を低減し、人体に及ぼす危害を軽減することができる等、本考案は優れた効果を奏する。
【考案を実施するための最良の形態】
【０００８】
以下、本考案の好ましい実施の形態を図面に基づいて詳しく説明する。
まず、図４を参照しながら本考案のスプレーガンの実施の形態を説明する。このスプレーガンは、全体がピストル状をなしており、主たる構成要素として、ガン本体２と、操作ユニット３と、ガン頭４との３つの部分を備えている。
【０００９】
前記ガン本体２は、後下から前へと少々斜めに延びるグリップ21と、該グリップ21の上端近傍から前方へ延設された主体部22と、該主体部22の前端に取付けられ、更に前方へ延びるノズル23とを備えている。また、前記ノズル23の内部には、該ノズル23の前端の開口に連通する塗料通路 231と、夫々が塗料通路 231の近傍の開口に連通する複数の第１の空気通路 232とが開設されている。
【００１０】
前記主体部22の前端部近傍には、内部において前記塗料通路 231と連通し、外部へ開口する塗料輸送通路 221が設けてあり、この塗料輸送通路 221により外部からの塗料の供給を取り入れ得るように構成されている。前記主体部22の内部から前記グリップ21の内部までに、第２の空気通路 222が開設されている。この第２の空気通路 222は、主体部22の内部において前記第１の空気通路 232に連通され、前記グリップ21において外部の開口に連通されており、この開口により外部から圧縮空気を受け入れるように構成されている。
【００１１】
前記操作ユニット３は、前記ガン本体２に取付けられており、塗料調整手段31と、空気開放弁32と、トリガー33とを備えている。前記塗料調整手段31は、前記ノズル23の前記塗料通路 231の開口との組み合わせにより塗料の流量を調整するものである。前記空気開放弁32は、その一端がガン本体２の外部に突出するように前記第２の空気通路 222内に常時閉の状態で配置されており、前記ノズル23への圧縮空気の供給を制御するものである。前記トリガー33は、空気開放弁32の前記一端に突き当てるように前記ガン本体２に取付けられており、このトリガー33を引いたり放したりすることにより、前記空気開放弁32の開閉を操作することができるようになしてある。
【００１２】
前記操作ユニット３は、空気調整手段34を更に備えている。この空気調整手段34は、前記グリップ21を経由して前記第２の空気通路 222内に挿設されており、前記グリップ21の外側から前記第２の空気通路 222への前記圧縮空気の受け入れ量を調整可能に構成されている。
【００１３】
次に前記ガン頭４の構成を、図５をも合わせて参照して説明する。このガン頭４は、カバー状をなしており、前記ノズル23の全体を外側から覆うように前記ガン本体２の前端部に連結固定されている。ガン頭４は、前方へ向かう円形面41を有し、この円形面41から後方に延設され、前記ガン本体２と連結固定するための止め環42を備えており、前記円形面41の前面には、中心の両側に略対称をなして突台43，43が夫々突設されている。
【００１４】
そして前記ガン頭４には、塗料送出口 411と各複数の駆動空気送出口 412,431とが開設されている。前記塗料送出口 411は、前記円形面10の前面の中心上に形成され、前記塗料通路 231の開口と連通されている。前記複数の駆動空気送出口 412,431は、前記塗料送出口 411の近傍に形成され、前記複数の第１の空気通路 232の開口と連通されており、これらの第１の空気通路 232内の圧縮空気を噴出して、前記塗料送出口 411より塗料を吸い出しながら霧状に飛散させるためのものである。
【００１５】
より詳しく説明すると、前記複数の駆動空気送出口は、符号 412により示す一部が、前記両突台43，43を結ぶ線ｒ１上に、前記塗料送出口 411の両側に夫々２個を分散して配置されており、また符号 431により示す他の一部が、前記両突台43，43の互いに対面している側面の先端寄りに相対的に徐々に離反するように形成された両斜面に夫々配置されている。
【００１６】
前記ガン頭４には更に、前記塗料送出口 411の指向方向ｚの周りに空気膜（図６、図７にＨで示す部分）を形成するために、夫々が前記複数の第１の空気通路 232の開口と連通する複数の噴気口 413,432が前方に向けて設けられている。より詳しく説明すると、前記複数の噴気口は、符号 413により示す一部が、前記円形面41上において前記両突台43，43を結ぶ線ｒ１と垂直をなし、円形面41の中心を通る線ｒ２上に、前記塗料送出口 411の両側に夫々２個を分散して配置されており、また符号 432により示す他の一部が、前記両突台43，43の前方へ向かう正面（前正面）に夫々１個配置されている。
【００１７】
そして、前記円形面41の中心を通り、前記両突台43，43結ぶ線ｒ１と垂直をなす線ｒ２上に、前記塗料送出口 411の両側に分散して配置された複数の噴気口 413のうち、前記中心から遠い両側にある一対の噴気口 413,413は、夫々からの噴気が前方へ向かって互いに遠ざかるように構成されており（図７参照）、他の噴気口 413の全ては、夫々の噴気が、前記塗料送出口 411の指向方向と平行をなして前方に向かうように構成されている（図６及び図７参照）。
【００１８】
スプレー作業時には、前記グリップ21を握り、前記トリガー33を指で引くことにより前記空気開放弁32を押し、前記第２の空気通路 222を開放する。そうすると、外部から受け入れられた圧縮空気が、前記第２の空気通路 222から前記ノズル23の内部の複数の前記第１の空気通路 232を経由して、前記ガン頭４の前記複数の駆動空気送出口 412,431及び前記複数の噴気口 413,432に達し、これらの夫々から、図６及び図７中に矢符により示すように噴出する。このとき、圧縮空気の高速噴出により前記塗料送出口 411の近傍の負圧が発生し、この負圧の作用により、前記塗料輸送通路 221と前記塗料通路 231とを経由して前記塗料送出口 411に達している塗料が吸い出され、この塗料が、前記複数の駆動空気送出口 412,431から噴出して前記塗料送出口 411の前方において交錯激突する気流によって細かな粒子に打ち散らされて霧状に飛散せしめられ、吹付け塗りをすることができる。
【００１９】
一方このとき、前記複数の噴気口 413,432からも圧縮空気が噴出しており、前記塗料送出口 411から吸い出され、その指向方向ｚに飛散する霧状の塗料の周りには、前記噴気口 413,432からの噴気による空気膜Ｈが形成され、この空気膜Ｈの制限により、外へ飛散しようとする塗料粒子は有効吹付け領域Ａに戻され、無効吹付け領域Ｂの発生及び大気への飛散を、従来より遥かに減少することができる。
【００２０】
以上の説明から明らかなように本考案は、圧縮空気の一部を複数の噴気口を介して噴出させ、塗料送出口の指向方向の周りに空気膜を形成し、塗料粒子の飛散範囲を制限することができるので、塗料の浪費を低減して塗料の吹付け塗り効率を向上させることができる上、塗料粒子の飛散による大気汚染を効果的に防止することが可能なスプレーガンを提供することができる。
【００２１】
なお以上に説明した実施の形態は、あくまでも本考案の技術的内容を明らかにすることを意図するものであり、本考案は、実施の形態に示す具体例に限定して狭義に解釈されるものではなく、本考案の精神とクレームに述べられた範囲で、種々に変更して実施できるものである。
【図面の簡単な説明】
【００２２】
【図１】従来のスプレーガンの要部断面側面図である。
【図２】従来のスプレーガンのガン頭の斜視図である。
【図３】従来のスプレーガンのガン頭の断面図及びそれと対応する有効／無効吹付け領域の説明図である。
【図４】本考案のスプレーガンの好ましい実施の形態の要部断面側面図である。
【図５】図４に示す実施の形態のスプレーガンのガン頭の斜視図である。
【図６】本考案のスプレーガンのガン頭の断面図及びそれと対応する有効／無効吹付け領域の説明図である。
【図７】本考案のスプレーガンのガン頭の図６と直交する方向の断面図及びそれと対応する有効／無効吹付け領域の説明図である。
【符号の説明】
【００２３】
２    ガン本体
21    グリップ
22    主体部
221   塗料輸送通路
222   第２の空気通路
23    ノズル
231   塗料通路
232   第１の空気通路
３    操作ユニット
31    塗料調整手段
32    空気開放弁
33    トリガー
34    空気調整手段
４    ガン頭
41    円形面
42    止め環
43    突台
411   塗料送出口
412   駆動空気送出口
413   噴気口
431   駆動空気送出口
432   噴気口
Ａ    有効吹付け領域
Ｂ    無効吹付け領域
Ｈ    空気膜
ｒ    両突台を結ぶ線
ｒ１  両突台を結ぶ線
ｒ２  円形面の中心を通る線
ｚ    塗料送出口の指向方向
【図１】
0003106158.tif 000003
【図２】
0003106158.tif 000004
【図３】
0003106158.tif 000005
【図４】
0003106158.tif 000006
【図５】
0003106158.tif 000007
【図６】
0003106158.tif 000008
【図７】
0003106158.tif 000009
【手続補正書】
【提出日】平成16年8月9日(2004.8.9)
【手続補正１】
【補正対象書類名】実用新案登録請求の範囲
【補正対象項目名】全文
【補正方法】変更
【補正の内容】
【実用新案登録請求の範囲】
【請求項１】
前方へ向けてガン頭に設けた塗料送出口の近傍に複数の駆動空気送出口を備え、該駆動空気送出口から圧縮空気を噴出し、前記塗料送出口より塗料を吸い出しつつ霧状に飛散させて吹付け塗りをするスプレーガンにおいて、
前記ガン頭は、前方へ向かう円形面を備え、該円形面上には、中心の両側に略対称をなして突台が、また略中心に前記塗料送出口が夫々設けてあり、
前記複数の駆動空気送出口は、一部が、前記円形面上の前記両突台を結ぶ線上に前記塗料送出口の両側に分散して配置され、また他の一部が、前記両突台の互いに対面している側面上に配置されており、
前記ガン頭に夫々が前方へ向かって設けられ、一部が、前記円形面上の前記両突台を結ぶ線と略垂直をなすと共に前記中心を通る線上に前記塗料送出口の両側に分散して配置され、また他の一部が、前記両突台の前正面に配置されており、前記塗料送出口の指向方向の周りに空気膜を形成するための複数の噴気口を備えることを特徴とするスプレーガン。    
【請求項２】
上下に延設されたグリップ、該グリップの上端近傍から前方へ延設された主体部、及び該主体部の前端に取付けられて更に前方へ延びるノズルを有しており、前記ノズルに、該ノズルの前端に開口する塗料通路、及び該塗料通路の近傍に夫々が開口する複数の第１の空気通路が設けられ、前記主体部に、内部において前記塗料通路と連通し、外部へ開口する塗料輸送通路が設けられ、また前記主体部の内部から前記グリップの内部までに、前記主体部内において前記第１の空気通路と連通し、前記グリップにおいて外部に開口して、外部からの圧縮空気を受け入れる第２の空気通路が設けられているピストル状をなすガン本体と、
前記ガン本体に取付けられており、塗料の流量を調整する塗料調整手段、前記ノズルへの圧縮空気の供給を制御する空気開放弁、及び前記空気開放弁の開閉を操作するトリガーを有する操作ユニットと、
前記ノズル全体を外側から覆うカバー状をなし、前方へ向かうと共に前記塗料通路の開口と連通された塗料送出口と、該塗料送出口の近傍に位置し、前記複数の第１の空気通路の開口と連通され、圧縮空気を噴出して前記塗料送出口より塗料を吸い出しつつ霧状に飛散させるための複数の駆動空気送出口とが設けられたガン頭と
を備えるスプレーガンにおいて、
前記ガン頭は、前方へ向かう円形面を備え、該円形面上には、中心の両側に略対称をなして突台が、また略中心に前記塗料送出口が夫々設けてあり、
前記複数の駆動空気送出口は、一部が、前記円形面上の前記両突台を結ぶ線上に前記塗料送出口の両側に分散して配置され、また他の一部が、前記両突台の互いに対面している側面上に配置されており、
前記ガン頭に夫々が前方へ向かって設けられ、一部が、前記円形面上の前記両突台を結ぶ線と略垂直をなすと共に前記中心を通る線上に前記塗料送出口の両側に分散して配置され、また他の一部が、前記両突台の前正面に配置されており、前記塗料送出口の指向方向の周りに空気膜を形成するための複数の噴気口を備えることを特徴とするスプレーガン。    
【請求項３】
前記塗料送出口の両側に分散して配置された前記噴気口のうち、前記中心から遠い側にある一対の噴気口は、夫々からの噴気が前方へ向かって互いに遠ざかるように構成され、他の噴気口の全ては、夫々の噴気が、前記塗料送出口の指向方向と略平行をなして前方に向かうように構成されていることを特徴とする請求項１又は２に記載のスプレーガン。
【請求項４】
前記ガン頭は、前記円形面から延設され、前記ガン本体と連結固定するための止め環を備えることを特徴とする請求項１乃至請求項３のいずれか１つに記載のスプレーガン。
【手続補正２】
【補正対象書類名】明細書
【補正対象項目名】０００６
【補正方法】変更
【補正の内容】
【０００６】
前記目的を達成するために、本考案は、前方へ向けてガン頭に設けた塗料送出口の近傍に複数の駆動空気送出口を備え、該駆動空気送出口から圧縮空気を噴出し、前記塗料送出口より塗料を吸い出しつつ霧状に飛散させて吹付け塗りをするスプレーガンにおいて、
前記ガン頭は、前方へ向かう円形面を備え、該円形面上には、中心の両側に略対称をなして突台が、また略中心に前記塗料送出口が夫々設けてあり、
前記複数の駆動空気送出口は、一部が、前記円形面上の前記両突台を結ぶ線上に前記塗料送出口の両側に分散して配置され、また他の一部が、前記両突台の互いに対面している側面上に配置されており、
前記ガン頭に夫々が前方へ向かって設けられ、一部が、前記円形面上の前記両突台を結ぶ線と略垂直をなすと共に前記中心を通る線上に前記塗料送出口の両側に分散して配置され、また他の一部が、前記両突台の前正面に配置されており、前記塗料送出口の指向方向の周りに空気膜を形成するための複数の噴気口を備えることを特徴とするスプレーガンを提供する。
【手続補正３】
【補正対象書類名】明細書
【補正対象項目名】０００７
【補正方法】変更
【補正の内容】
【０００７】
本考案に係るスプレーガンは、ガン頭に設けられた円形面及び突台に、複数の駆動空気送出口と共に、これらに対して所定の配置関係を有して夫々が前方へ向かって設けられた複数の噴気口を備えているから、前記塗料送出口から吸い出されて前記指向方向に飛散する霧状の塗料の周りに空気膜が形成され、この空気膜が塗料の飛散範囲を制限する作用をなし、外へ飛散しようとする塗料粒子が有効吹付け領域に戻されて、無効吹付け領域になる部分及び大気中への飛散分が減少し、吹付け塗りの効率を向上させることができる上、飛散する塗料粒子による大気汚染を低減し、人体に及ぼす危害を軽減することができる等、本考案は優れた効果を奏する。